(57)【要約】      （修正有）【課題】船の揺れによってコイルがパレットから離脱せず、コンテナ内でのパレットの移動を確実に阻止することができ、パレット保管時等において、パレットの段積数を多くできるコイル状重量物用パレットを提供する。【解決手段】平行に配された一対の脚部１と、脚部上に設けられたコイル載置部５とからなり、脚部の各々は、伸縮し、所定長さ位置で固定可能であり、コイル載置部は、脚部上にこれと直交して固定された複数本の腕部６と、腕部に固定されたコイル支持部７と、先端部８ａがコンテナの側壁面に当接し、脚部と直交する方向に伸縮可能な張り出し部材８とを備え、腕部の各々は、一対の脚部間の中央部を中心として左右に分割され、対向面が谷状に形成された一対の梁材９と、一対の梁材の下面に固定され、一対の梁材を連結する連結部材１０とを備え、コイル支持部は、一対の梁材の対向面間に固定され、谷状に傾斜した一対の板材１３からなる。【選択図】図１
2015151133.tif 000002
【特許請求の範囲】
【請求項１】
重量物としてのコイルを載せ、コンテナに収容されるコイル状重量物用パレットにおいて、
平行に配された一対の脚部と、前記脚部上に設けられたコイル載置部とからなり、前記脚部の各々は、伸縮し、所定長さ位置で固定可能であり、前記コイル載置部は、前記脚部上に前記脚部と直交して固定された複数本の腕部と、前記腕部に固定されたコイル支持部と、先端部が前記コンテナの側壁面に当接し、前記脚部と直交する方向に伸縮可能な張り出し部材とを備え、前記腕部の各々は、前記一対の脚部間の中央部を中心として左右に分割され、対向面が谷状に形成された一対の梁材と、前記一対の梁材の下面に固定され、前記一対の梁材を連結する連結部材とを備え、前記コイル支持部は、前記一対の梁材の前記対向面間に固定され、谷状に傾斜した一対の板材からなることを特徴とするコイル状重量物用パレット。
【請求項２】
前記板材の各々の鉛直線に対する傾斜角度（θ）は、４０°であることを特徴とする、請求項１に記載のコイル状重量物用パレット。
【請求項３】
前記連結部材の両端面は、谷状に傾斜していることを特徴とする、請求項１または２に記載のコイル状重量物用パレット。
【請求項４】
前記一対の板材の下面間には、リブが前記梁材と平行に固定されていることを特徴とする、請求項１から３の何れか１つに記載のコイル状重量物用パレット。
【請求項５】
前記リブには、前記コイル支持部に載せられた前記コイルを前記コイル載置部に固縛するスチールバンドの挿通孔が形成されていることを特徴とする、請求項４に記載のコイル状重量物用パレット。
【請求項６】
前記板材の表面には、ゴム板が取り付けられていることを特徴とする、請求項１から５の何れか１つに記載のコイル状重量物用パレット。
【請求項７】
前記張り出し部材は、前記コンテナの側壁面の凹凸を平坦に形成する塞ぎブロックを備え、前記張り出し部材の先端部は、前記コンテナの側壁面に前記塞ぎブロックを介して当接されることを特徴とする、請求項１から６の何れか１つに記載のコイル状重量物用パレット。
【発明の詳細な説明】
【技術分野】
【０００１】
この発明は、コイル状重量物用パレット、特に、コイル状重量物をコンテナ内に収容して輸送する際に使用されるパレットに関するものである。
【背景技術】
【０００２】
例えば、製鉄所において製造されたコイル状に巻かれた重量物としての鋼板（以下、単に、コイルという。）は、海外および国内向けで約５ｔから３０ｔの重量を有している。このような重量物としてのコイルを目的地まで輸送するには、コンテナ輸送と在来船輸送（バラ積輸送）とに大別される。コンテナ輸送は、コイルをパレット等に載せて、一旦、コンテナに収容し、このコンテナを車あるいは船に積載して目的地まで輸送している。
【０００３】
なお、上記コイルの外面は、ボール紙、ビニールシート等で被覆され、スチールバンドで固縛されている。また、コイルの外面が鉄板により被覆されている場合もある。
【０００４】
上記パレットの一例が特許文献１に開示されている。以下、このパレットを従来パレットＡといい、図面を参照しながら説明する。
【０００５】
図１３は、従来パレットＡを示す斜視図、図１４は、コイルを積載した従来パレットＡを示す斜視図である。
【０００６】
図１３に示すように、従来パレットＡは、平行に配された一対の主脚部３１と、主脚部３１の両側に平行に配された一対の補助脚部３２と、主脚部３１および補助脚部３２上に設けられたコイル載置部３３とからなっている。
【０００７】
コイル載置部３３は、主脚部３１および補助脚部３２上に、これらと直交して設けられた一対の腕部３４と、腕部３４間の主脚部３１上に設けられたコイル支持部３５と、腕部３４上に設けられた、後述するコイル移動抑止部材３７の端部が嵌め込まれる溝３６ａが形成されたガイド３６と、ガイド３６の溝３６ａに端部が嵌め込まれる一対のコ字状コイル移動抑止部材３７とからなっている。
【０００８】
コイル支持部３５は、谷状に互いに傾斜させて配置した一対の鋼板からなっている。コイル移動抑止部材３７は、コイルＣの軸方向の移動を阻止する機能を有している。
【０００９】
このように構成されている従来パレットＡにコイルＣを積載するには、図１４に示すように、コイルＣをコイル支持部３５上に載せ、スチールバンド３８をコイルＣとコイル支持部３５に形成されたスチールバンド挿通孔３５ａに通してコイルＣを固定する。そして、ガイド３６の溝３６ａにコイル移動抑止部材３７の端部を嵌め込む。
【００１０】
このようにして、コイルＣをコイル載置部３３に固定することによって、パレット上でのコイルＣの転がりと軸方向の移動が阻止される。
【先行技術文献】
【特許文献】
【００１１】
【特許文献１】特開平１１−３４２９４５号公報
【発明の開示】
【発明が解決しようとする課題】
【００１２】
上述した従来パレットＡによれば、コイルＣをコイル載置部３３に固定することはできるが、以下のような問題があった。
【００１３】
（ａ）コイル支持部３５の開き角度が大きいために、船上輸送する場合、スチールバンド３８によりコイルＣがコイル支持部３５に固定されているとはいえ、船の揺れの程度によってはコイルＣがパレットから離脱するおそれがあった。
（ｂ）コイルＣを載せたパレットをコンテナに収容する場合、従来パレットＡは、パレット固定手段を備えていないので、コンテナ内におけるパレットの移動を阻止するための固定手段を別途、用意する必要があった。
（ｃ）パレット保管時等において複数個のパレットを段積する場合、従来パレットＡにおいては、上段パレットの主脚部３１を下段パレットのコイル積載部３３上に載せることになるので、段積高さが一定の場合、パレットの段積数が少なくなる。
【００１４】
従って、この発明の目的は、船の揺れによってコイルがパレットから離脱せず、コイルを載せたパレットをコンテナに収容する場合、コンテナ内でのパレットの移動を確実に阻止することができ、しかも、パレット保管時等において、段積高さが一定の場合、パレットの段積数を多くすることができる、コイル状重量物用パレットを提供することにある。
【課題を解決するための手段】
【００１５】
この発明は、上記目的を達成するためになされたものであって、下記を特徴とするものである。
【００１６】
請求項１に記載の発明は、重量物としてのコイルを載せ、コンテナに収容されるコイル状重量物用パレットにおいて、平行に配された一対の脚部と、前記脚部上に設けられたコイル載置部とからなり、前記脚部の各々は、伸縮し、所定長さ位置で固定可能であり、前記コイル載置部は、前記脚部上に前記脚部と直交して固定された複数本の腕部と、前記腕部に固定されたコイル支持部と、先端部が前記コンテナの側壁面に当接し、前記脚部と直交する方向に伸縮可能な張り出し部材とを備え、前記腕部の各々は、前記一対の脚部間の中央部を中心として左右に分割され、対向面が谷状に形成された一対の梁材と、前記一対の梁材の下面に固定され、前記一対の梁材を連結する連結部材とを備え、前記コイル支持部は、前記一対の梁材の前記対向面間に固定され、谷状に傾斜した一対の板材からなることに特徴を有するものである。
【００１７】
請求項２に記載の発明は、請求項１に記載の発明において、前記板材の各々の鉛直線に対する傾斜角度（θ）は、４０°であることに特徴を有するものである。
【００１８】
請求項３に記載の発明は、請求項１または２に記載の発明において、前記連結部材の両端面は、谷状に傾斜していることに特徴を有するものである。
【００１９】
請求項４に記載の発明は、請求項１から３の何れか１つに記載の発明において、前記一対の板材の下面間には、リブが前記梁材と平行に固定されていることに特徴を有するものである。
【００２０】
請求項５に記載の発明は、請求項４に記載の発明において、前記リブには、前記コイル支持部に載せられた前記コイルを前記コイル載置部に固縛するスチールバンドの挿通孔が形成されていることに特徴を有するものである。
【００２１】
請求項６に記載の発明は、請求項１から５の何れか１つに記載の発明において、前記板材の表面には、ゴム板が取り付けられていることに特徴を有するものである。
【００２２】
請求項７に記載の発明は、請求項１から６の何れか１つに記載の発明において、前記張り出し部材は、前記コンテナの側壁面の凹凸を平坦に形成する塞ぎブロックを備え、前記張り出し部材の先端部は、前記コンテナの側壁面に前記塞ぎブロックを介して当接されることに特徴を有するものである。
【発明の効果】
【００２３】
この発明によれば、コイル載置部にコンテナの側壁面に当接可能な張り出し部材を設けることによって、コンテナ内でのパレットの横移動、すなわち、コンテナ移動方向と直交する方向のパレットの移動を確実に阻止することができる。
【００２４】
また、この発明によれば、脚部を伸縮可能にすることによって、コンテナ内でのパレットの縦移動、すなわち、コンテナ移動方向の移動を確実に阻止することができる。
【００２５】
また、この発明によれば、パレット保管時等において、複数個のパレットを段積する場合、上段パレットのコイル載置部の下部を下段パレットのコイル載置部内に入り込ませることができるので、すなわち、例えば、お椀を積み重ねるように段積することができるので、コイル支持部を構成する一対の板材の鉛直線に対する傾斜角度（θ）が４０°と、従来パレットＡに比べて起っていても、段積高さが限られている場合、パレットの段積数が減少することはない。
【００２６】
また、この発明によれば、コイル支持部を構成する一対の板材の鉛直線に対する傾斜角度（θ）を４０°に設定することによって、船の揺れ（ローリング）によるコイルのパレットからの離脱を確実に防止することができる。
【００２７】
また、この発明によれば、張り出し部材の先端部をコンテナの側壁面に塞ぎブロックを介して当接させることによって、張り出し部材の先端部をコンテナ側壁面に当接させる際のコンテナ側壁面の凹凸の影響が皆無となる。
【図面の簡単な説明】
【００２８】
【図１】この発明のコイル状重量物用パレットＢを示す平面図である。
【図２】この発明のコイル状重量物用パレットＢを示す正面図である。
【図３】この発明のコイル状重量物用パレットＢを示す側面図である。
【図４】この発明のコイル状重量物用パレットＢの脚部を示す平面図である。
【図５】この発明のコイル状重量物用パレットＢの脚部を示す側面図である。
【図６】図５のＡ−Ａ線断面図である。
【図７】この発明のコイル状重量物用パレットＢの塞ぎ材を示す斜視図である。
【図８】コンテナ側壁面に嵌め込んだ塞ぎ材を示す平面図である。
【図９】段積した、この発明のコイル状重量物用パレットＢを示す正面図である。
【図１０】この発明のパレットＢにコイルを載せて、コンテナに収容した場合の平面図である。
【図１１】この発明のパレットＢにコイルを載せて、コンテナに収容した場合の正面図である。
【図１２】この発明のパレットＢにコイルを載せて、コンテナに収容した場合の側面図である。
【図１３】従来パレットＡを示す斜視図である。
【図１４】コイルを積載した従来パレットＡを示す斜視図である。
【発明を実施するための形態】
【００２９】
この発明のコイル状重量物用パレットＢ（以下、本発明パレットＢという。）の一実施態様を、図面を参照しながら説明する。ここでは、重量物として、鋼板をコイル状に巻いたコイルを例に挙げるが、コイル状に巻かれた他の重量物であっても良い。
【００３０】
図１は、本発明パレットＢを示す平面図、図２は、本発明パレットＢを示す正面図、図３は、本発明パレットＢを示す側面図である。
【００３１】
図１から図３において、１は、角パイプからなる平行に配された一対の脚部である。各脚部１は、外筒２と内筒３（角パイプを上下に連結）とを、さや構造に構成したものからなり、内筒３を外筒２から引き出すことによって、伸縮可能になっている（図４から図６参照）。内筒３は、所定長さ位置で、ピン４を外筒２に形成した孔２ａと内筒３に形成した孔３ａとに通すことにより外筒２に対して固定可能になっている。
【００３２】
５は、脚部１上に設けられたコイル載置部である。コイル載置部５は、脚部１上に脚部１と直交して固定された複数本の腕部６（この例では、３本）と、腕部６に固定されたコイル支持部７と、先端部８ａがコンテナの側壁面に当接し、脚部１と直交する方向に伸縮可能な張り出し部材８からなっている（図１０参照）。
【００３３】
各腕部６は、一対の脚部１間の中央部を中心として左右に分割され、対向面が谷状に形成された一対の梁材９と、一対の梁材９の下面に固定され、一対の梁材９を連結する連結部材１０とからなっている。一対の梁材９の対向面の傾斜角度は、後述するコイル支持部７の板材１３の傾斜角度と同じである。
【００３４】
連結部材１０は、角パイプの両端面１０ａを谷状に傾斜させ、両端面１０ａを塞ぎ板で塞いだもので構成されている（図２参照）。このように、連結部材１０の両端面１０ａを谷状に傾斜させることによって、コイルＣを運搬するフォークリフトのフォーク１１のガイド効果を奏する。各連結部材１０は、脚部１と平行な角パイプからなる補強材１２により連結されている（図１、図２参照）。
【００３５】
コイル支持部７は、一対の梁材９の対向面間に固定され、谷状に傾斜した、鋼板からなる一対の板材１３からなっている。板材１３の各々の鉛直線に対する傾斜角度（θ）は、４０°である。板材１３の傾斜角度（θ）を４０°に設定することによって、船の揺れによるコイルＣのパレットからの離脱をコイルＣの径によらず確実に防止することができる（図２参照）。一対の板材１３の下面間には、複数枚の板状リブ１４（この例では、６枚）が梁材９と平行に固定されている。リブ１４は、梁材９上に梁材９と直交して固定された角パイプからなる補強材１５と補強材１２とに固定されている（図２参照）。リブ１４には、板材１３に載せられたコイルＣをコイル載置部５に固縛するスチールバンド１６（図１１、図１２参照）の挿通孔１４ａ（図２参照）が形成されている。板材１３の表面には、ゴム板１７が取り付けられ、コイルＣを板材１３上に載せた際のコイルＣの滑り止め効果を奏している（図２参照）。
【００３６】
張り出し部８は、その先端部８ａをコンテナの側壁面に当接させることによって、コンテナ内でのパレットの横移動を阻止する機能を有している。図１０に示すように、コンテナの壁面（側壁面１９、奥壁面２０）は、波状に形成されているので、張り出し部８の先端部８ａをコンテナ１８の側壁面１９に当接させる場合、先端部８ａが側壁面１９の谷部にかかると、張り出し部材８の機能を十分に発揮できない。この問題を解決するために、図７に示すように、張り出し部材８は、コンテナ１８の側壁面１９の凹凸を塞いで平坦に形成する樹脂等からなる塞ぎブロック２１を備えている。塞ぎブロック２１は、コンテナ１８の側壁面１９の凹凸を塞いで平坦に形成する形状であれば、図８に示すような形状であっても良い。
【００３７】
張り出し部材８は、ねじ棒の先端に取り付けられた先端部８ａを軸回りに回転させることによって伸縮可能になっている。
【００３８】
上述したように構成されている、本発明パレットＢにコイルＣを載せて、コンテナ１８に収容するには、図１０から図１２に示すように、コイルＣをコイル支持部７上に載せ、スチールバンド１６により固縛する。そして、必要に応じて、図１０、図１２に示すように、コイルＣをコイル載置部５に別のスチールバンド２２により固縛する。
【００３９】
このようにして、コイルＣを本発明パレットＢに載せたら、フォークリフトのフォーク１１を脚部１間のスペース（Ｓ）に差し込んで（図２参照）、本発明パレットＢを持ち上げ、図１０から図１２に示すように、コンテナ１８内に収容する。
【００４０】
コイルＣを載せた本発明パレットＢをコンテナ１８に収容したら、張り出し部材８を伸ばして、その先端部８ａを塞ぎブロック２１を介して、コンテナ１８の側壁面１９に当接させる。これによって、本発明パレットＢのコンテナ１８内での横移動を確実に阻止することができる。
【００４１】
さらに、脚部１の内筒３を外筒２から引き出し、所定長さ位置でピン４により固定し、コンテナ１８の奥壁面２０および隣接する別のパレットに当接させる。なお、脚部１をコンテナ１８の奥壁面２０に当接させる場合には、奥壁面２０に水平に当てがった木材２３を介して当接させる。また、入口側のパレットの場合には、ドア２４の内側に水平に木材２５を当てがい、別の木材２６を入口側のパレットと木材２５との間に挟み込む。これによって本発明パレットＢのコンテナ１８内での縦移動を確実に阻止することができる（図１０、図１２参照）。
【００４２】
図示の例は、コンテナ１８に２個のコイルＣを収容する場合であるが、１個または３個以上であっても良いことは勿論である。
【００４３】
保管時等において、本発明パレットＢを段積する場合には、図９に示すように、下段パレットの脚部を上段パレットの腕部に直接、載置する。
【００４４】
以上、説明したように、この発明によれば、コイル載置部５にコンテナ１８の側壁面１９に当接可能な張り出し部材８を設けることによって、コンテナ１８内でのパレットの横移動を確実に阻止することができる。
【００４５】
また、この発明によれば、脚部１を伸縮可能にすることによって、コンテナ１８内でのパレットの縦移動を確実に阻止することができる。
【００４６】
また、この発明によれば、パレット保管時等において、複数個のパレットを段積する場合、上段パレットのコイル載置部５の下部を下段パレットのコイル載置部５内に入り込ませることができるので、コイル支持部７を構成する一対の板材１３の鉛直線に対する傾斜角度（θ）が４０°と、従来パレットＡに比べて起っていても、段積高さが限られている場合、パレットの段積数が減少することはない。
【００４７】
また、この発明によれば、コイル支持部７を構成する一対の板材１３の鉛直線に対する傾斜角度（θ）を４０°に設定することによって、船の揺れ（ローリング）によるコイルＣのパレットからの離脱を確実に防止することができる。
【００４８】
また、この発明によれば、張り出し部材８の先端部８ａをコンテナＣの側壁面１９に塞ぎブロック２１を介して当接させることができるので、張り出し部材８の先端部８ａをコンテナ１８の側壁面１９に当接させる際のコンテナ側壁面１９の凹凸の影響が皆無となる。
【符号の説明】
【００４９】
Ａ：従来パレット
Ｂ：本発明パレット
１：脚部
２：外筒
２ａ：孔
３：内筒
３ａ：孔
４：ピン
５：コイル載置部
６：腕部
７：コイル支持部
８：張り出し部材
８ａ：先端部
９：梁材
１０：連結部材
１０ａ：端面
１１：フォーク
１２：補強材
１３：板材
１４：リブ
１４ａ：スチールバンド挿通孔
１５：補強材
１６：スチールバンド
１７：ゴム板
１８：コンテナ
１９：側壁面
２０：奥壁面
２１：塞ぎブロック
２２：スチールバンド
２３：木材
２４：ドア
２５：木材
２６：木材
３１：主脚部
３２：補助脚部
３３：コイル載置部
３４：腕部
３５：コイル支持部
３５ａ：スチールバンド挿通孔
３６：ガイド
３６ａ：溝
３７：コイル移動抑止部材
３８：スチールバンド
【図１】
2015151133.tif 000003
【図２】
2015151133.tif 000004
【図３】
2015151133.tif 000005
【図４】
2015151133.tif 000006
【図５】
2015151133.tif 000007
【図６】
2015151133.tif 000008
【図７】
2015151133.tif 000009
【図８】
2015151133.tif 000010
【図９】
2015151133.tif 000011
【図１０】
2015151133.tif 000012
【図１１】
2015151133.tif 000013
【図１２】
2015151133.tif 000014
【図１３】
2015151133.tif 000015
【図１４】
2015151133.tif 000016